(57)【特許請求の範囲】
【請求項１】
表示手段と、テープ印刷装置に装着された長尺状の印刷テープに印刷するための印刷データを作成・編集する印刷データ作成・編集手段とを備えたラベルデータ作成装置において、
前記印刷データ作成・編集手段は、
前記テープ印刷装置に装着されたテープカセット内の印刷テープのテープ幅に対応して印字幅を設定する印字幅設定手段と、
前記印字幅設定手段を介して設定された印字幅に基づき前記表示手段を制御し、テキストデータを含むオブジェクトデータを作成する矩形状のデータ作成エリア及びデータ作成エリアの内側で矩形状の印刷エリアを表示させる表示制御手段と、
前記データ作成エリア内でオブジェクトデータを入力する入力手段と、
前記データ作成エリア内で前記オブジェクトデータを移動させる移動手段と、
前記移動手段を介してオブジェクトデータが移動される際に、前記入力手段を介して入力されたオブジェクトデータの周囲に設定される矩形状のオブジェクトエリアの一辺と前記矩形状の印刷エリアの一辺とが一致するかどうかを判断する判断手段と、
前記判断手段を介して前記オブジェクトエリアの一辺と前記矩形状の印刷エリアの一辺とが一致すると判断された場合、その判断結果を印刷エリアの一辺上で表示することを特徴とするラベルデータ作成装置。
【請求項２】
前記判断手段は、前記オブジェクトエリアの上下方向における上下センターラインと前記印刷エリアの上下方向における上下センターラインとが一致するかどうかを判断し、
前記判断手段を介して前記オブジェクトエリアの上下センターラインと前記印刷エリアの上下センターラインとが一致すると判断された場合、その判断結果を印刷エリアの上下センターライン上で表示することを特徴とする請求項１に記載のラベルデータ作成装置。
【請求項３】
前記判断手段は、前記オブジェクトエリアの上下方向における上辺及び下辺がそれぞれ前記印刷エリアの上辺及び下辺と一致するかどうかを判断し、
前記判断手段を介して前記オブジェクトエリアの上辺及び下辺と前記印刷エリアの上辺及び下辺とが一致すると判断された場合、印刷エリアの上下センターラインを表示しないことを特徴とする請求項２に記載ラベルデータ作成装置。
【請求項４】
前記判断手段は、前記オブジェクトエリアの左右方向における左右センターラインと前記印刷エリアの左右方向における左右センターラインとが一致するかどうかを判断し、
前記判断手段を介して前記オブジェクトエリアの左右センターラインと前記印刷エリアの左右センターラインとが一致すると判断された場合、その判断結果を印刷エリアの左右センターライン上で表示することを特徴とする請求項１又は請求項２に記載のラベルデータ作成装置。
【請求項５】
前記判断手段は、前記オブジェクトエリアの左右方向における左辺及び右辺がそれぞれ前記印刷エリアの左辺及び右辺と一致するかどうかを判断し、
前記判断手段を介して前記オブジェクトエリアの左辺及び右辺と前記印刷エリアの左辺及び右辺とが一致すると判断された場合、印刷エリアの左右センターラインを表示しないことを特徴とする請求項４に記載のラベルデータ作成装置。
【請求項６】
前記印刷エリアの４辺の内側にて、各４辺に沿って所定幅の座標エリアを設定し、
前記移動手段を介してオブジェクトデータが移動される際に、前記オブジェクトエリアの一辺が前記座標エリアに入った場合、オブジェクトエリアの一辺を平行移動して前記印刷エリアの一辺に合致させることを特徴とする請求項１乃至請求項５のいずれかに記載のラベルデータ作成装置。
【請求項７】
前記テープ印刷装置と通信する通信手段を備え、
前記印字幅設定手段は、前記通信手段を介してテープ印刷装置から取得した印刷テープのテープ幅データに基づき印字幅を設定し、
前記表示制御手段は、前記印字幅設定手段を介して設定された印字幅に基づき前記データ作成エリアを表示手段上に表示させることを特徴とする請求項１乃至請求項６のいずれかに記載のラベルデータ作成装置。
【請求項８】
請求項１乃至請求項７のいずれかに記載のラベルデータ作成装置の印刷データ作成・編集手段としてコンピュータを機能させることを特徴とするプログラム。
【請求項９】
請求項１乃至請求項７のいずれかに記載のラベルデータ作成装置の印刷データ作成・編集手段としてコンピュータを機能させるためのプログラムが記録されてコンピュータで読み取り可能なことを特徴とする記録媒体。
【発明の詳細な説明】
【技術分野】
【０００１】
本発明は、各種印刷データを印刷した長尺状のテープからラベルを作成するに際して、ラベル印刷データを作成・編集するラベルデータ作成装置、プログラム及び記録媒体に関するものである。
【背景技術】
【０００２】
従来より、各種印刷データを印刷した長尺状のテープからラベルを作成するに際して、ラベル印刷データを作成・編集する各種のラベルデータ作成装置が提案されている。
【０００３】
例えば、特開２００７−３３４６４９号公報には、エディタ表示画面にてラベル作成作業領域を表示し、かかるラベル作成作業領域に表示される印刷枠のテキストボックス内で各種のテキストを入力してラベル印刷データを作成・編集するように構成されたラベルデータ作成装置が記載されている。
また、特開２００６−１８９９８９号公報には、オブジェクトの進行方向矩形の辺に対してのみスナップ機能を動作させ、進行方向と反対側にある矩形の辺に対してはスナップ機能を無効とすることができ、スナップ回数が減少し、マウスによるオブジェクトの円滑な移動を実現することができるオブジェクト編集システムが記載されている。
【０００４】
【特許文献１】特開２００７−３３４６４９号公報（段落００５３〜００５９、図７）
【特許文献２】特開２００６−１８９９８９号公報（段落００３６〜００７５、図１〜図７）
【発明の開示】
【発明が解決しようとする課題】
【０００５】
しかしながら、前記した特許文献１に記載されたラベルデータ作成装置では、文字等のテキストデータや画像データ等からなるオブジェクトのレイアウト調整を行う際やオブジェクトを印刷枠の境界に合わせたり、或いはオブジェクトを印刷枠の中央位置に配置する際に、オブジェクトを選択した後そのオブジェクトを各種ボタンを操作して所望の配置となるように調整する必要がある。このように、各種のボタンを操作して、選択されたオブジェクトを所望の配置位置に調整するには非常に熟練を要し、初心者ユーザが簡単に行うことはできないものである。
【０００６】
また、前記特許文献２に記載されたオブジェクト編集システムでは、オブジェクトのスナップ機能を利用して矩形状の印字領域の各辺に対して比較的容易にオブジェクトを配置することが可能なものではあるが、オブジェクトの矩形領域の各辺と印字領域の各辺とが合致して配置されたことを視覚的に確認することは困難なものである。
【０００７】
本発明は、前記従来技術の問題点を解消するためになされたものであり、テキストデータ等を含むオブジェクトの配置調整を行う際に、オブジェクトデータの周囲に設定される矩形状のオブジェクトエリアの一辺とオブジェクトデータの印刷エリアの一辺とが一致したことを視覚的に容易に確認可能なラベルデータ作成装置、プログラム及び記録媒体を提供することを目的とする。
【課題を解決するための手段】
【０００８】
前記目的を達成するため請求項１に係るラベルデータ作成装置は、表示手段と、テープ印刷装置に装着された長尺状の印刷テープに印刷するための印刷データを作成・編集する印刷データ作成・編集手段とを備えたラベルデータ作成装置において、前記印刷データ作成・編集手段は、前記テープ印刷装置に装着されたテープカセット内の印刷テープのテープ幅に対応して印字幅を設定する印字幅設定手段と、前記印字幅設定手段を介して設定された印字幅に基づき前記表示手段を制御し、テキストデータを含むオブジェクトデータを作成する矩形状のデータ作成エリア及びデータ作成エリアの内側で矩形状の印刷エリアを表示させる表示制御手段と、前記データ作成エリア内でオブジェクトデータを入力する入力手段と、前記データ作成エリア内で前記オブジェクトデータを移動させる移動手段と、前記移動手段を介してオブジェクトデータが移動される際に、前記入力手段を介して入力されたオブジェクトデータの周囲に設定される矩形状のオブジェクトエリアの一辺と前記矩形状の印刷エリアの一辺とが一致するかどうかを判断する判断手段と、前記判断手段を介して前記オブジェクトエリアの一辺と前記矩形状の印刷エリアの一辺とが一致すると判断された場合、その判断結果を印刷エリアの一辺上で表示することを特徴とする。
【０００９】
請求項２に係るラベルデータ作成装置は、請求項１のラベルデータ作成装置において、前記判断手段は、前記オブジェクトエリアの上下方向における上下センターラインと前記印刷エリアの上下方向における上下センターラインとが一致するかどうかを判断し、前記判断手段を介して前記オブジェクトエリアの上下センターラインと前記印刷エリアの上下センターラインとが一致すると判断された場合、その判断結果を印刷エリアの上下センターライン上で表示することを特徴とする。
請求項３に係るラベルデータ作成装置は、請求項２のラベルデータ作成装置において、前記判断手段は、前記オブジェクトエリアの上下方向における上辺及び下辺がそれぞれ前記印刷エリアの上辺及び下辺と一致するかどうかを判断し、前記判断手段を介して前記オブジェクトエリアの上辺及び下辺と前記印刷エリアの上辺及び下辺とが一致すると判断された場合、印刷エリアの上下センターラインを表示しないことを特徴とする。
【００１０】
請求項４に係るラベルデータ作成装置は、請求項１又は請求項２に記載のラベルデータ作成装置において、前記判断手段は、前記オブジェクトエリアの左右方向における左右センターラインと前記印刷エリアの左右方向における左右センターラインとが一致するかどうかを判断し、前記判断手段を介して前記オブジェクトエリアの左右センターラインと前記印刷エリアの左右センターラインとが一致すると判断された場合、その判断結果を印刷エリアの左右センターライン上で表示することを特徴とする。
ことを特徴とする。
請求項５に係るラベルデータ作成装置は、請求項４のラベルデータ作成装置において、前記判断手段は、前記オブジェクトエリアの左右方向における左辺及び右辺がそれぞれ前記印刷エリアの左辺及び右辺と一致するかどうかを判断し、
前記判断手段を介して前記オブジェクトエリアの左辺及び右辺と前記印刷エリアの左辺及び右辺とが一致すると判断された場合、印刷エリアの左右センターラインを表示しないことを特徴とする。
【００１１】
請求項６に係るラベルデータ作成装置は、請求項１乃至請求項５のラベルデータ作成装置において、前記印刷エリアの４辺の内側にて、各４辺に沿って所定幅の座標エリアを設定し、前記移動手段を介してオブジェクトデータが移動される際に、前記オブジェクトエリアの一辺が前記座標エリアに入った場合、オブジェクトエリアの一辺を平行移動して前記印刷エリアの一辺に合致させることを特徴とする。
【００１２】
請求項７に係るラベルデータ作成装置は、請求項１乃至請求項６のラベルデータ作成装置において、前記テープ印刷装置と通信する通信手段を備え、前記印字幅設定手段は、前記通信手段を介してテープ印刷装置から取得した印刷テープのテープ幅データに基づき印字幅を設定し、前記表示制御手段は、前記印字幅設定手段を介して設定された印字幅に基づき前記データ作成エリアを表示手段上に表示させることを特徴とする。
【００１３】
請求項８に係るプログラムは、請求項１乃至請求項７のいずれかに記載のラベルデータ作成装置の印刷データ作成・編集手段としてコンピュータを機能させることを特徴とする。
【００１４】
請求項９に係る記録媒体は、請求項１乃至請求項７のいずれかに記載のラベルデータ作成装置の印刷データ作成・編集手段としてコンピュータを機能させるためのプログラムが記録されてコンピュータで読み取り可能なことを特徴とする。
【発明の効果】
【００１５】
請求項１に係るラベルデータ作成装置では、移動手段を介してオブジェクトデータが移動される際に、入力手段を介して入力されたオブジェクトデータの周囲に設定される矩形状のオブジェクトエリアの一辺と矩形状の印刷エリアの一辺とが一致するかどうかを判断手段により判断し、判断手段を介してオブジェクトエリアの一辺と矩形状の印刷エリアの一辺とが一致すると判断された場合に、その判断結果を印刷エリアの一辺上で表示するように構成されているので、オブジェクトエリアの一辺と印刷エリアの一辺とが一致したことを、印刷エリアの一辺上で視覚的に容易に確認することができる。
【００１６】
請求項２に係るラベルデータ作成装置では、判断手段により、オブジェクトエリアの上下方向における上下センターラインと印刷エリアの上下方向における上下センターラインとが一致するかどうか判断され、判断手段を介してオブジェクトエリアの上下センターラインと印刷エリアの上下センターラインとが一致すると判断された場合に、その判断結果を印刷エリアの上下センターライン上で表示するように構成されているので、オブジェクトエリアの上下方向における上下センターラインと印刷エリアの上下方向における上下センターラインとが一致したことを、印刷エリアの上下センターライン上で視覚的に容易に確認することができる。
請求項３に係るラベルデータ作成装置では、判断手段により、オブジェクトエリアの上下方向における上辺及び下辺がそれぞれ印刷エリアの上辺及び下辺と一致するかどうか判断され、判断手段を介してオブジェクトエリアの上辺及び下辺と印刷エリアの上辺及び下辺とが一致すると判断された場合、印刷エリアの上下センターラインを表示しないように構成されているので、上下センターラインが表示されない場合には、オブジェクトエリアの幅と印刷エリアの幅とが一致していることを視覚的に容易に確認することができる。
【００１７】
請求項４に係るラベルデータ作成装置では、判断手段により、オブジェクトエリアの左右方向における左右センターラインと印刷エリアの左右方向における左右センターラインとが一致するかどうか判断され、判断手段を介してオブジェクトエリアの左右センターラインと印刷エリアの左右センターラインとが一致すると判断された場合、その判断結果を印刷エリアの左右センターライン上で表示するように構成されているので、オブジェクトエリアの左右方向における左右センターラインと印刷エリアの左右方向における左右センターラインとが一致したことを、印刷エリアの左右センターライン上で視覚的に容易に確認することができる。
請求項５に係るラベルデータ作成装置では、判断手段により、オブジェクトエリアの左右方向における左辺及び右辺がそれぞれ印刷エリアの左辺及び右辺と一致するかどうか判断され、判断手段を介してオブジェクトエリアの左辺及び右辺と印刷エリアの左辺及び右辺とが一致すると判断された場合、印刷エリアの左右センターラインを表示しないように構成されているので、左右センターラインが表示されない場合には、オブジェクトエリアの長さと印刷エリアの長さとが一致していることを視覚的に容易に確認することができる。
【００１８】
請求項６に係るラベルデータ作成装置では、印刷エリアの４辺の内側にて、各４辺に沿って所定幅の座標エリアを設定し、移動手段を介してオブジェクトデータが移動される際に、オブジェクトエリアの一辺が座標エリアに入った場合、オブジェクトエリアの一辺を平行移動して印刷エリアの一辺に合致させるように構成されているので、オブジェクトエリアの一辺を座標エリア内まで移動させるだけの簡単な移動操作により、確実にオブジェクトエリアの一辺を印刷エリアの一辺に合致させることができる。
【００１９】
請求項７に係るラベルデータ作成装置では、テープ印刷装置と通信する通信手段を備え、印字幅設定手段は、通信手段を介してテープ印刷装置から取得した印刷テープのテープ幅データに基づき印字幅を設定し、表示制御手段は、印字幅設定手段を介して設定された印字幅に基づきデータ作成エリアを表示手段上に表示させるように構成されているので、テープ印刷装置に所望のラベル幅を有する印刷テープを装着するだけで、テープ幅データは通信手段により取得されて印字幅が設定されるとともに、その印字幅に基づきデータ作成エリアが表示手段上に表示され、これより特別の操作を行うことなく所望のラベル幅に対応するデータ作成エリアを表示手段上に表示させることができる。
【００２０】
請求項８に係るプログラムでは、そのプログラムをコンピュータに読み込ませることにより、ラベルデータ作成装置として機能させることができる。
【００２１】
請求項９に係る記録媒体では、請求項１乃至請求項７のいずれかに記載のラベルデータ作成装置の機能をコンピュータで実行されるプログラムとして備えることができる。このようなプログラムの場合、例えば、半導体メモリ、ハードディスク、フロッピー（登録商標）ディスク、データカード（ＩＣカード、磁気カード等）、光ディスク（ＣＤ−ＲＯＭ、ＤＶＤ等）、光磁気ディスク（ＭＤ等）、相変化ディスク、磁気テープ等のコンピュータで読み取り可能な記録媒体に記録し、必要に応じてコンピュータにロードして起動することにより用いることができる。この他、ＲＯＭやバックアップＲＡＭに前記プログラムを記録しておき、このＲＯＭやバックアップＲＡＭをコンピュータに組み込んで用いてもよい。
【発明を実施するための最良の形態】
【００２２】
以下、本発明に係るラベルデータ作成装置、プログラム及び記録媒体をラベル印刷システムについて、具体化した一実施例に基づいて図面を参照しつつ詳細に説明する。
【００２３】
先ず、本実施例に係るラベル印刷システム１の概略構成について図１に基づき説明する。図１は本実施例に係るラベル印刷システム１の概略構成を示す図である。
図１に示すように、本実施例に係るラベル印刷システム１は、パーソナルコンピュータ等から構成されるラベルデータ作成装置の一例としてのコンピュータ装置２と、このコンピュータ装置２と信号ケーブルＫ１を介して接続されるテープ印刷装置３とから構成されている。
また、コンピュータ装置２は、ホストコントローラ４、表示装置（例えば、ＣＲＴ、ＬＣＤ等）５、キーボード６、マウス７、イメージスキャナ８、及びＣＤリード・ライター（ＣＤ−Ｒ／Ｗ）９から構成されている。尚、マウス７は、ジョイスティックやトラックボール等に置き換えてもよい。また、ＣＤ−Ｒ／Ｗ９は、ＭＯ装置、ＤＶＤ装置等に置き換えてもよい。
【００２４】
また、テープ印刷装置３は、所定幅寸法の長尺状の粘着媒体を裏面側に有する印刷テープが内蔵された後述のテープカセット３Ｄ（図２参照）が装着され、この印刷テープに対して印刷するプリンタであり、コンピュータ装置２からの印刷指令に基づき、所望の文字等が印刷された粘着材付印刷テープからラベルを作成する。
ここで、テープ印刷装置３は、その上面に文字キーや制御キー等の多数のキーを含むキーボード３Ａと、ラベルのイメージ等を表示するディスプレイ３Ｂとを備えている。また、テープ印刷装置３の側壁には、印刷テープを外部に排出するテープ排出口３Ｃが形成されているので、コンピュータ装置２からの印刷指令に基づき、所望の文字が印刷された粘着材付印刷テープを切断してなるラベルが、テープ排出口３Ｃから排出される。
【００２５】
次に、テープ印刷装置３の印刷機構にテープカセット３Ｄを装着した場合の概略構成について図２に基づいて説明する。図２は図１に示すテープ印刷装置３の印刷機構にテープカセット３Ｄを装着した場合の概略構成を示す平面図である。
図２に示すように、印刷機構ＰＭに着脱自在に矩形状のテープカセット３Ｄが装着されており、このテープカセット３Ｄには、フィルムテープ１１が巻装されたテープスプール１２と、インクリボン１３が巻装されたリボン供給スプール１４と、このインクリボン１３を巻取る巻取りスプール１５と、フィルムテープ１１と同一幅を有する両面粘着テープ１６が剥離紙を外側にして巻装された供給スプール１７と、これらフィルムテープ１１と両面粘着テープ１６とを接合させる接合ローラ１８とが回転自在に設けられている。
【００２６】
前記フィルムテープ１１とインクリボン１３とが重なる位置には、サーマルヘッド１９が立設され、これらフィルムテープ１１とインクリボン１３とをサーマルヘッド１９に押圧するプラテンローラ２０と、フィルムテープ１１と両面粘着テープ１６とを接合ローラ１８に押圧して印刷テープ２３を作成する送りローラ２１とは、テープ印刷装置３の本体フレームに回動自在に枢着された支持体２２に回転可能に枢支されている。このサーマルヘッド１９には、５１２個の発熱素子からなる発熱素子群が上下方向に列設されている。
【００２７】
従って、テープ送りモータ７２（図４参照）の所定回転方向への駆動により、接合ローラ１８と巻取りスプール１５とが所定回転方向に夫々同期して駆動されながら、サーマルヘッド１９の発熱素子群に通電されたとき、フィルムテープ１１上には複数のドット列により文字やバーコード等が印字され、しかもフィルムテープ１１は両面粘着テープ１６を接合した状態で印刷テープ２３としてテープ送り方向Ａにテープ送りされ、テープ排出口３Ｃから外部に繰出される。尚、印刷機構ＰＭの詳細については、例えば、特開平２−１０６５５５号公報に記載された機構とほぼ同一であるので、ここではその詳細な説明を省略する。
【００２８】
次に、この印刷テープ２３を自動的に切断する切断装置３０について簡単に説明する。前記テープカセット３Ｄの左側に対応するテープ印刷装置３の本体フレームの直ぐ内側には、板状の補助フレーム３１が立設され、この補助フレーム３１に固定刃３２が上向きに固着されている。補助フレーム３１に固着された左右方向向きの枢支軸３３には、前後方向に延びる操作レバー３４の前端近傍部が回動可能に枢支され、その操作レバー３４の枢支軸３３より前側に対応する部位において、可動刃３５が前記固定刃３２と対向して取付けられている。また、操作レバー３４の後端部は、切断用モータ７４（図４参照）に連結された揺動駆動機構（図示略）により上下揺動可能に構成され、常には、可動刃３５が固定刃３２から離間した状態で保持されている。
そして、サーマルヘッド１９により印刷された印刷テープ２３は、テープカセット３Ｄから固定刃３２と可動刃３５との間を通ってテープ排出口３Ｃから外に延びているので、切断信号により駆動された切断用モータ７４により、揺動駆動機構を介して操作レバー３４の後端部が上下揺動され、可動刃３５が固定刃３２に接近して、これら両刃３２・３５で印刷テープ２３が切断される。これにより、ラベルが作成される。
【００２９】
ところで、前記テープカセット３Ｄから繰出される印刷テープ２３として、テープ幅を３．５ｍｍ、６ｍｍ、９ｍｍ、１２ｍｍ、１８ｍｍ、２４ｍｍとする６種類が準備されており、これらテープカセット３Ｄの底壁部には、これら６種類のテープ幅の何れかを検知する為に、４つの突出爪の有無を組合せた突出片２４が設けられている。そして、このテープカセット３Ｄの下側を支持する本体フレームには、この突出片２４の突出爪の組合せからテープ幅を検知するカセットセンサ６８（図４参照）が取付けられている。即ち、このカセットセンサ６８は、突出片２４を構成する突出爪の組合せにより、例えば、テープ幅が１８ｍｍのときには「０１００」のカセット信号を出力し、また、テープ幅が２４ｍｍのときには「１１００」のカセット信号を出力するとともに、テープカセット３Ｄが装着されていないときには、「００００」のカセット信号を出力する。
【００３０】
次に、ラベル印刷システム１を構成するコンピュータ装置２の回路構成について図３に基づいて説明する。図３は図１に示すコンピュータ装置２の要部の回路構成を示す回路ブロック図である。
図３に示すように、コンピュータ装置２のホストコントローラ４は、ＣＰＵ４１、ＲＯＭ４２、ＲＡＭ４３、入出力インターフェース（Ｉ／Ｆ）４４、通信用インターフェース（Ｉ／Ｆ）４５、フロッピー（登録商標）ディスクコントローラ（ＦＤＣ）４６、フロッピー（登録商標）ディスクドライブ（ＦＤＤ）４７、ハードディスクコントローラ（ＨＤＣ）４８、ハードディスクドライブ（ＨＤＤ）４９、表示装置コントローラ５０、モデム５１等を備えている。また、ＣＰＵ４１、ＲＯＭ４２、ＲＡＭ４３、入出力インターフェース（Ｉ／Ｆ）４４、通信用インターフェース（Ｉ／Ｆ）４５、及びモデム５１は、バス線５２により相互に接続されて、相互にデータのやり取りが行われる。また、入出力Ｉ／Ｆ４４には、ＦＤＤ４７を駆動制御するＦＤＣ４６を介してＦＤＤ４７、ＨＤＤ４９を駆動制御するＨＤＣ４８を介してＨＤＤ４９、及び表示装置コントローラ５０が接続されている。また、モデム５１には電話回線５３が接続されている。
【００３１】
そして、ホストコントローラ４には、入出力Ｉ／Ｆ４４を介して文字や記号等を入力するためのキーボード６、表示装置５の表示画面上の座標を入力するためのマウス７、図面から外形線データ等を取り込むためのイメージスキャナ８、及び印刷用データや後述のラベルデータ編集画面を表示するラベルデータ編集ソフト等の各種アプリケーションソフトウェア等をＣＤ−ＲＯＭ５６に書き込み及び読み込むためのＣＤ−Ｒ／Ｗ９が接続されている。また、ホストコントローラ４には、表示装置コントローラ５０を介して表示装置５が接続され、後述のようにラベルデータ編集画面が表示され、入力されたラベルデータが表示された印刷テープ２３の印刷領域（後述する）等が表示される。更に、ホストコントローラ４には、通信用Ｉ／Ｆ４５及び信号ケーブルＫ１を介してテープ印刷装置３が接続される。
【００３２】
また、ＣＰＵ４１は、ラベル印刷システム１全体を制御し、ラベル印刷システム１の動作に関する全てのデータを管理する。また、ＲＯＭ４２には、一般のパーソナルコンピュータと同様に電源投入時にコンピュータ装置２を立ち上げてＣＰＵ４１を起動させるための起動プログラムが格納されている。
【００３３】
また、ＲＡＭ４３は、ＣＰＵ４１が種々の制御を実行する際に、各種データを一時的に記憶するものであり、テキストデータ、画像データ等のオブジェクトデータを記憶するオブジェクトデータ記憶エリア４３Ａ、後述のように各種の飾り枠、イメージデータ、シンボルデータ等をテンプレートとして記憶するテンプレート記憶エリア４３Ｂ、後述する印刷エリア１０３の４辺の内側に設定される所定幅の吸着座標エリアのデータを記憶する座標エリアデータ記憶エリア４３Ｃ等が設けられている。
また、通信用Ｉ／Ｆ４５は、例えば、セントロニクスインターフェースやＵＳＢ（Universal Serial Bus）等から構成され、テープ印刷装置３や外部の電子機器（例えば、コンピュータ、レーザプリンタ等）と双方向データ通信が可能になっている。
【００３４】
また、ＨＤＤ４９に装着されるハードディスクには、ＭＳ−ＤＯＳ（登録商標）やウィンドウズ（登録商標）システム等の各種オペレーティングシステム（ＯＳ）に加えて、テープ印刷装置３や外部の電子機器に対してデータの送受信を行うための通信用プロトコル、ブラウザや当該ＯＳにて実行可能なワープロソフトや印刷用ラベルデータを作成する編集ソフト等の各種アプリケーションソフトウェアが必要に応じて格納されている。
また、ＦＤＤ４７に着脱自在に装着されるフロッピー（登録商標）ディスク（ＦＤ）５５には、後述する処理にて得られた各種印刷データが格納保存される。
【００３５】
また、ＣＤ−Ｒ／Ｗ９に着脱自在に装着される光ディスク（ＣＤ−ＲＯＭ）５６には、後述するテンプレートを用途別フォルダから取得してテープの印刷領域に挿入表示して編集するレイアウト編集処理等の制御処理の制御プログラム等と共に、ＧＩＦ、ＪＰＥＧ、ＢＭＰ等の様々な形式の各種オブジェクトのオブジェクト情報（例えば、オブジェクト名、オブジェクトの原画像の縦寸法、オブジェクトの原画像の横寸法、画像データ等である。）が記録されて、各種ラベルデータ作成装置に供給される。
【００３６】
次に、ラベル印刷システム１を構成するテープ印刷装置３の回路構成について図４に基づき説明する。図４は図１に示すテープ印刷装置３の要部の回路構成を示す回路ブロック図である。
図４に示すように、テープ印刷装置３の制御回路部６０は、ＣＰＵ６１、ＣＧ（キャラクタジェネレータ）ＲＯＭ６２、ＲＯＭ６３、ＲＡＭ６４、入出力インターフェース（Ｉ／Ｆ）６５、及び通信用インターフェース（Ｉ／Ｆ）６６等を備えている。また、ＣＰＵ６１、ＣＧＲＯＭ６２、ＲＯＭ６３、ＲＡＭ６４、入出力インターフェース（Ｉ／Ｆ）６５、及び通信用インターフェース（Ｉ／Ｆ）６６は、バス線６７により相互に接続されて、相互にデータのやり取りが行われる。
ここに、ＣＧＲＯＭ６２には各キャラクタに対応するドットパターンデータが記憶されている。
【００３７】
また、ＲＯＭ６３は各種のプログラムを記憶させておくものであり、印刷制御プログラム等のテープ印刷装置３の制御上必要な各種のプログラムが記憶されている。そして、ＣＰＵ６１はかかるＲＯＭ６３に記憶されている各種のプログラムに基づいて各種の演算を行なうものである。また、ＣＧＲＯＭ６２には、多数の文字等のキャラクタのそれぞれについて、各キャラクタの輪郭線を規定する輪郭線データ（アウトラインデータ）が各書体（ゴシック系書体、明朝体系書体等）毎に分類されてコードデータに対応して記憶されている。このアウトラインデータに基づいてドットパターンデータがイメージバッファ上に展開される。
【００３８】
また、ＲＡＭ６４はＣＰＵ６１により演算された各種の演算結果を一時的に記憶させておくためのものである。また、サーマルヘッド１９を介してラミネートテープ１１に印字する際に印字データが一時記憶される。更に、ＲＡＭ６４には、テキストメモリ、イメージバッファ、印字バッファ等の各種のメモリが設けられている。
【００３９】
また、入出力Ｉ／Ｆ６５には、キーボード３Ａ、ディスプレイ３Ｂ、カセットセンサ６８、サーマルヘッド１９を駆動する為の駆動回路７１、テープ送りモータ７２を駆動する為の駆動回路７３、及び切断用モータ７４を駆動する為の駆動回路７５等が夫々接続されている。
また、通信用Ｉ／Ｆ６６は、例えば、セントロニクスインターフェースやＵＳＢ等から構成され、コンピュータ装置２と双方向データ通信が可能になっている。
【００４０】
続いて、前記ラベル印刷システム１にて実行されるラベルデータ作成・編集プログラムについて、図５乃至図７に基づき説明する。
先ず、ラベルデータ作成・編集プログラムのメイン処理について図５に基づき説明する。図５はメイン処理プログラムのフローチャートである。
【００４１】
図５において、ラベルデータ作成・編集プログラムが起動されると、Ｓ１において、図８に示すラベルデータ編集初期画面が表示装置５に表示される。
ここで、図８に基づきラベルデータ編集初期画面について説明する。先ず、ラベルデータ編集初期画面１００において、オブジェクト（ここでは、テキスト、飾り枠、イメージデータ、シンボル等を含む概念である）データ作成エリア１０１が表示される。
【００４２】
このとき、矩形状のオブジェクトデータ作成エリア１０１は、テープ印刷装置３に装着されているテープカセットに内蔵されたテープのテープ幅（２４ｍｍ幅）に対応して、表示されている。また、オブジェクトデータ作成エリア１０１において、その内側には矩形状の印刷エリア１０３が表示され、かかる印刷エリア１０３の範囲内でオブジェクトデータの印刷が行われる。印刷エリア１０３の左端位置には、キャレット（点滅カーソル）１０２が表示されている。
また、ＲＡＭ４３の座標エリアデータ記憶エリア４３Ｃに記憶されている座標データに基づき、印刷エリア１０３の４辺の内側で各４辺に沿って吸着座標エリア１０４が設定されている。尚、吸着座標エリア１０４は、実際に印刷エリア１０３上で表示されることはなく、説明の便宜のために図示しているものである。この吸着座標エリア１０４は、後述するように、オブジェクトを囲む矩形状のオブジェクトエリアの一辺が吸着座標エリア１０４内に入った際に、オブジェクトエリアの一辺を平行移動して印刷エリア１０３の一辺に合致させる吸着作用を行うためのエリアである。
【００４３】
前記のように初期画面１００が表示装置５に表示された後、オブジェクト追加処理（Ｓ２）、オブジェクトドラッグ移動処理（Ｓ３）、オブジェクトカーソル移動処理（Ｓ４）が行われる。
【００４４】
先ず、Ｓ２においてオブジェクト追加処理が行われる。かかる処理は、コンピュータ装置２のキーボード６を介して行われる通常のテキスト入力処理や既に作成されているテキストに新たに別のテキストや各種の修飾データ（飾り枠、イメージ、シンボル等）を追加する処理である。
ここでは、一例として、オブジェクトデータ作成エリア１０１において、オブジェクトとしてのテキスト「Ｓａｍｐｌｅ」が入力された例を図９に示す。図９では、オブジェクトデータ作成エリア１０１における印刷エリア１０３内に、テキスト「Ｓａｍｐｌｅ」が表示されている。また、図９に示す例では、テキスト「Ｓａｍｐｌｅ」がオブジェクトとして選択されており、かかる場合、テキスト「Ｓａｍｐｌｅ」は、複数のハンドル１０５により囲まれたオブジェクトエリア１０６内に配置される。
【００４５】
続いて、Ｓ３にて行われるオブジェクトドラッグ移動処理について説明する。かかる処理は、オブジェクトエリア１０６に囲まれたオブジェクトをクリックしつつドラッグしてオブジェクトを移動させる処理である。
前記オブジェクトドラッグ処理について図６に基づき説明する。図６はオブジェクトドラッグ処理のフローチャートである。
【００４６】
図６において、オブジェクトドラッグ処理が開始されると、Ｓ６において、オブジェクトエリア１０６の上辺の座標が印刷エリア１０３の上側吸着座標エリア１０４内に存在するかどうか判断される。オブジェクトエリア１０６の上辺の座標が印刷エリア１０３の上側吸着座標エリア１０４内に存在しないと判断された場合（Ｓ６：ＮＯ）には、Ｓ８に移行する。一方、オブジェクトエリア１０６の上辺の座標が印刷エリア１０３の上側吸着座標エリア１０４内に存在すると判断された場合（Ｓ６：ＹＥＳ）には、Ｓ７にて、各ハンドル１０５にて囲まれたオブジェクトエリア１０６の上辺を上側に平行移動して、オブジェクトエリア１０６の上辺を印刷エリア１０３の上辺に合致させる。この後Ｓ８に移行する。
【００４７】
Ｓ８においては、オブジェクトエリア１０６の下辺の座標が印刷エリア１０３の下側吸着座標エリア１０４内に存在するかどうか判断される。オブジェクトエリア１０６の下辺の座標が印刷エリア１０３の下側吸着座標エリア１０４内に存在しないと判断された場合（Ｓ８：ＮＯ）には、Ｓ１０に移行する。一方、オブジェクトエリア１０６の下辺の座標が印刷エリア１０３の下側吸着座標エリア１０４内に存在すると判断された場合（Ｓ８：ＹＥＳ）には、Ｓ９にて、各ハンドル１０５にて囲まれたオブジェクトエリア１０６の下辺を下側に平行移動して、オブジェクトエリア１０６の下辺を印刷エリア１０３の下辺に合致させる。この後Ｓ１０に移行する。
【００４８】
Ｓ１０においては、オブジェクトエリア１０６の左辺の座標が印刷エリア１０３の左側吸着座標エリア１０４内に存在するかどうか判断される。オブジェクトエリア１０６の左辺の座標が印刷エリア１０３の左側吸着座標エリア１０４内に存在しないと判断された場合（Ｓ１０：ＮＯ）には、Ｓ１２に移行する。一方、オブジェクトエリア１０６の左辺の座標が印刷エリア１０３の左側吸着座標エリア１０４内に存在すると判断された場合（Ｓ１０：ＹＥＳ）には、Ｓ１１にて、各ハンドル１０５にて囲まれたオブジェクトエリア１０６の左辺を左側に平行移動して、オブジェクトエリア１０６の左辺を印刷エリア１０３の左辺に合致させる。この後Ｓ１２に移行する。
【００４９】
Ｓ１２においては、オブジェクトエリア１０６の右辺の座標が印刷エリア１０３の右側吸着座標エリア１０４内に存在するかどうか判断される。オブジェクトエリア１０６の右辺の座標が印刷エリア１０３の右側吸着座標エリア１０４内に存在しないと判断された場合（Ｓ１２：ＮＯ）には、処理を終了する。一方、オブジェクトエリア１０６の右辺の座標が印刷エリア１０３の右側吸着座標エリア１０４内に存在すると判断された場合（Ｓ１２：ＹＥＳ）には、Ｓ１３にて、各ハンドル１０５にて囲まれたオブジェクトエリア１０６の右辺を右側に平行移動して、オブジェクトエリア１０６の右辺を印刷エリア１０３の右辺に合致させる。この後Ｓ１２に移行する。この後、処理を終了する。
【００５０】
尚、Ｓ４にて行われるオブジェクトカーソル移動処理は、オブジェクトをクリックしてハンドル１０５によりオブジェクトエリア１０６が表示されるオブジェクトの選択状態とし、キーボード６に設けられたカーソルキーを使用してオブジェクトを移動させる処理である。
【００５１】
続いて、前記オブジェクト追加処理（Ｓ２）、オブジェクトドラッグ移動処理（Ｓ３）、オブジェクトカーソル移動処理（Ｓ４）が行われた後に実行されるオブジェクト境界一致表示処理（Ｓ５）について、図７に基づき説明する。図７はオブジェクト境界一致表示処理のフローチャートである。
【００５２】
オブジェクト境界一致表示処理が開始されると、Ｓ１４において、オブジェクトエリア１０６の上辺が印刷エリア１０３の上辺と一致しているかどうか判断される。オブジェクトエリア１０６の上辺が印刷エリア１０３の上辺と一致してないと判断された場合（Ｓ１４：ＮＯ）、Ｓ１６に移行する。一方、オブジェクトエリア１０６の上辺が印刷エリア１０３の上辺と一致していると判断された場合（Ｓ１４：ＹＥＳ）には、Ｓ１５にて、オブジェクトエリア１０６の上辺と印刷エリア１０３の上辺とが一致していることを、印刷エリア１０３の上辺上で表示する。具体的には、例えば、図９に示すように、印刷エリア１０３の上辺を実線１０７でカラー表示する。この後、Ｓ１６に移行する。
【００５３】
続いて、Ｓ１６では、オブジェクトエリア１０６の下辺が印刷エリア１０３の下辺と一致しているかどうか判断される。オブジェクトエリア１０６の下辺が印刷エリア１０３の下辺と一致してないと判断された場合（Ｓ１６：ＮＯ）、Ｓ１８に移行する。一方、オブジェクトエリア１０６の下辺が印刷エリア１０３の下辺と一致していると判断された場合（Ｓ１６：ＹＥＳ）には、Ｓ１７にて、オブジェクトエリア１０６の下辺と印刷エリア１０３の下辺とが一致していることを、印刷エリア１０３の下辺上で表示する。具体的には、例えば、図１０に示すように、印刷エリア１０３の下辺を実線１０７でカラー表示する。この後、Ｓ１８に移行する。
【００５４】
ここに、前記Ｓ１５及びＳ１７の処理が行われた場合には、図１１に示すように、印刷エリア１０３の上辺と下辺とが、共に実線１０７でカラー表示される。
【００５５】
次に、Ｓ１８においては、オブジェクトエリア１０６の左辺が印刷エリア１０３の左辺と一致しているかどうか判断される。オブジェクトエリア１０６の左辺が印刷エリア１０３の左辺と一致してないと判断された場合（Ｓ１８：ＮＯ）、Ｓ２０に移行する。一方、オブジェクトエリア１０６の左辺が印刷エリア１０３の左辺と一致していると判断された場合（Ｓ１８：ＹＥＳ）には、Ｓ１９にて、オブジェクトエリア１０６の左辺と印刷エリア１０３の左辺とが一致していることを、印刷エリア１０３の左辺上で表示する。具体的には、例えば、図１２に示すように、印刷エリア１０３の左辺を実線１０７でカラー表示する。この後、Ｓ２０に移行する。
【００５６】
次に、Ｓ２０においては、オブジェクトエリア１０６の右辺が印刷エリア１０３の右辺と一致しているかどうか判断される。オブジェクトエリア１０６の右辺が印刷エリア１０３の右辺と一致してないと判断された場合（Ｓ２０：ＮＯ）、Ｓ２２に移行する。一方、オブジェクトエリア１０６の右辺が印刷エリア１０３の右辺と一致していると判断された場合（Ｓ２０：ＹＥＳ）には、Ｓ２１にて、オブジェクトエリア１０６の右辺と印刷エリア１０３の右辺とが一致していることを、印刷エリア１０３の右辺上で表示する。具体的には、例えば、図１３に示すように、印刷エリア１０３の右辺を実線１０７でカラー表示する。この後、Ｓ２２に移行する。
【００５７】
ここに、前記Ｓ１９及びＳ２１の処理が行われた場合には、図１４に示すように、印刷エリア１０３の左辺と右辺とが、共に実線１０７でカラー表示される。
【００５８】
次に、Ｓ２２においては、オブジェクトエリア１０６の上下方向におけるセンターラインが、印刷エリア１０３の上下方向におけるセンターラインと一致しているかどうか判断される。オブジェクトエリア１０６の上下方向センターラインが印刷エリア１０３の上下方向センターラインと一致してないと判断された場合（Ｓ２２：ＮＯ）、Ｓ２５に移行する。一方、オブジェクトエリア１０６の上下方向センターラインが印刷エリア１０３の上下方向センターラインと一致していると判断された場合（Ｓ２２：ＹＥＳ）には、Ｓ２３にて、オブジェクトエリア１０６の上辺及び下辺が、それぞれ印刷エリア１０左の上辺及び下辺と一致しているかどうか判断される。オブジェクトエリア１０６の上辺及び下辺が、それぞれ印刷エリア１０左の上辺及び下辺と一致している場合（Ｓ２３：ＹＥＳ）には、オブジェクトエリア１０６の幅と印刷エリア１０３の幅とが一致していることを意味し、かかる場合には、印刷エリア１０３の上下方向センターラインを表示することなくＳ２５に移行する。このように印刷エリア１０３の上下方向センターラインが表示されない場合には、オブジェクトエリア１０６の幅と印刷エリア１０３の幅とが一致していることを視覚的に容易に確認することができる。一方、オブジェクトエリア１０６の上辺及び下辺が、それぞれ印刷エリア１０３の上辺及び下辺と一致していない場合（Ｓ２３：ＮＯ）には、Ｓ２４において、オブジェクトエリアの上下方向におけるセンターラインと印刷エリア１０３の上下方向におけるセンターラインとが相互に一致していることを表示する。具体的には、図１５に示すように、印刷エリア１０３の上下方向におけるセンターラインを実線１０７でカラー表示する。この後、Ｓ２５に移行する。
【００５９】
次に、Ｓ２５においては、オブジェクトエリア１０６の左右方向におけるセンターラインが、印刷エリア１０３の左右方向におけるセンターラインと一致しているかどうか判断される。オブジェクトエリア１０６の左右方向センターラインが印刷エリア１０３の左右方向センターラインと一致してないと判断された場合（Ｓ２５：ＮＯ）、処理を終了する。一方、オブジェクトエリア１０６の左右方向センターラインが印刷エリア１０３の左右方向センターラインと一致していると判断された場合（Ｓ２５：ＹＥＳ）には、Ｓ２６にて、オブジェクトエリア１０６の左辺及び右辺が、それぞれ印刷エリア１０左の左辺及び右辺と一致しているかどうか判断される。オブジェクトエリア１０６の左辺及び右辺が、それぞれ印刷エリア１０左の左辺及び右辺と一致している場合（Ｓ２６：ＹＥＳ）には、オブジェクトエリア１０６の長さと印刷エリア１０３の長さとが一致していることを意味し、かかる場合には、印刷エリア１０３の左右方向センターラインを表示することなく、処理を終了する。このように、印刷エリア１０３の左右方向センターラインが表示されない場合には、オブジェクトエリア１０６の長さと印刷エリア１０３の長さとが一致していることを視覚的に容易に確認することができる。一方、オブジェクトエリア１０６の左辺及び右辺が、それぞれ印刷エリア１０３の左辺及び右辺と一致していない場合（Ｓ２６：ＮＯ）には、Ｓ２７において、オブジェクトエリア１０６の左右方向におけるセンターラインと印刷エリア１０３の左右方向におけるセンターラインとが相互に一致していることを表示する。具体的には、図１６に示すように、印刷エリア１０３の左右方向におけるセンターラインを実線１０７でカラー表示する。この後、処理を終了する。
【００６０】
以上詳細に説明した通り、本実施形態に係るラベルデータ作成装置では、オブジェクトドラッグ移動処理やオブジェクトカーソル移動処理により、オブジェクトが移動される際に、オブジェクトの周囲に設定される矩形状のオブジェクトエリア１０６の一辺と矩形状の印刷エリア１０３の一辺とが一致するかどうかを判断し（Ｓ１４、Ｓ１６、Ｓ１８、Ｓ２０）、オブジェクトエリア１０６の一辺と矩形状の印刷エリア１０３の一辺とが一致すると判断された場合（Ｓ１４：ＹＥＳ、Ｓ１６：ＹＥＳ、Ｓ１８：ＹＥＳ、Ｓ２０：ＹＥＳ）に、その判断結果を印刷エリア１０３の一辺上で実線１０７によりカラー表示するように構成されているので、オブジェクトエリア１０６の一辺と印刷エリア１０３の一辺とが一致したことを、印刷エリア１０３の一辺上で視覚的に容易に確認することができる。
【００６１】
また、オブジェクトエリア１０６の上下方向における上下センターラインと印刷エリア１０３の上下方向における上下センターラインとが一致するかどうか判断し（Ｓ２２）、オブジェクトエリア１０６の上下センターラインと印刷エリア１０３の上下センターラインとが一致すると判断された場合（Ｓ２２：ＹＥＳ）に、その判断結果を印刷エリア１０３の上下センターライン上で実線１０７によりカラー表示するように構成されているので、オブジェクトエリア１０６の上下方向における上下センターラインと印刷エリア１０３の上下方向における上下センターラインとが一致したことを、印刷エリア１０３の上下センターライン上で視覚的に容易に確認することができる。
【００６２】
更に、オブジェクトエリア１０６の左右方向における左右センターラインと印刷エリア１０３の左右方向における左右センターラインとが一致するかどうか判断し（Ｓ２５）、オブジェクトエリア１０６の左右センターラインと印刷エリア１０３の左右センターラインとが一致すると判断された場合（Ｓ２５：ＹＥＳ）、その判断結果を印刷エリア１０３の左右センターライン上で実線１０７によりカラー表示するように構成されているので、オブジェクトエリア１０６の左右方向における左右センターラインと印刷エリア１０３の左右方向における左右センターラインとが一致したことを、印刷エリア１０３の左右センターライン上で視覚的に容易に確認することができる。
【００６３】
また、印刷エリア１０３の４辺の内側にて、各４辺に沿って所定幅の吸着座標エリア１０４を設定し、オブジェクトが移動される際に、オブジェクトエリア１０６の一辺が吸着座標エリア１０４に入った場合（Ｓ６；ＹＥＳ、Ｓ８：ＹＥＳ、Ｓ１０：ＹＥＳ、Ｓ１２：ＹＥＳ）、オブジェクトエリア１０６の一辺を平行移動して印刷エリア１０３の一辺に合致させるように構成されているので、オブジェクトエリア１０６の一辺を吸着座標エリア１０４内まで移動させるだけの簡単な移動操作により、確実にオブジェクトエリア１０６の一辺を印刷エリア１０３の一辺に合致させることができる。
【００６４】
更に、コンピュータ装置２は、通信用Ｉ／Ｆ４５、６６を介してテープ印刷装置３から取得したフィルムテープ１１のテープ幅データに基づき印字幅を設定し、表示装置５は、その設定された印字幅に基づきデータ作成エリア１０１を表示装置５上に表示させるように構成されているので、テープ印刷装置３に所望のラベル幅を有するフィルムテープ１１を装着するだけで、テープ幅データは通信用Ｉ／Ｆ４５、６６により取得されて印字幅が設定されるとともに、その印字幅に基づきデータ作成エリア１０１が表示装置５上に表示され、これより特別の操作を行うことなく所望のラベル幅に対応するデータ作成エリア１０１を表示装置５上に表示させることができる。
【００６５】
尚、本発明は、前記実施形態に限定されることはなく、本発明の要旨を逸脱しない範囲内で種々の改良、変形が可能であることは勿論である。
【図面の簡単な説明】
【００６６】
【図１】本実施例に係るラベル印刷システムの概略構成である。
【図２】図１に示すテープ印刷装置の印刷機構にテープカセットを装着した場合の概略構成を示す平面図である。
【図３】図１に示すコンピュータ装置２の要部の回路構成を示す回路ブロック図である。
【図４】図１に示すテープ印刷装置の要部の回路構成を示す回路ブロック図である。
【図５】メイン処理プログラムのフローチャートである。
【図６】オブジェクトドラッグ移動処理のフローチャートである。
【図７】オブジェクト境界一致表示処理のフローチャートである。
【図８】ラベルデータ編集初期画面を示す説明図である。
【図９】オブジェクトデータ作成エリアにおいて、オブジェクトとしてのテキスト「Ｓａｍｐｌｅ」が入力された例を示す説明図である。
【図１０】印刷エリアの下辺を実線でカラー表示した例を示す説明図である。
【図１１】印刷エリアの上辺と下辺とを共に実線でカラー表示した例を示す説明図である。
【図１２】印刷エリアの左辺を実線でカラー表示した例を示す説明図である。
【図１３】印刷エリアの右辺を実線でカラー表示した例を示す説明図である。
【図１４】印刷エリアの左辺と右辺とを共に実線でカラー表示した例を示す説明図である。
【図１５】印刷エリアの上下方向におけるセンターラインを実線でカラー表示した例を示す説明図である。
【図１６】印刷エリアの左右方向におけるセンターラインを実線でカラー表示した例を示す説明図である。
【符号の説明】
【００６７】
１        ラベル印刷システム
２        コンピュータ装置
３        テープ印刷装置
３Ｄ      テープカセット
４        ホストコントローラ
５        表示装置
６        キーボード
７        マウス
４１      ＣＰＵ
４２      ＲＯＭ
４３      ＲＡＭ
４３Ｃ    フラグメモリ
４９      ＨＤＤ
１０１    オブジェクトデータ作成エリア
１０２    キャレット
１０３    印刷エリア
１０４    吸着座標エリア
１０５    ハンドル
１０６    オブジェクトエリア
１０７    実線
【図１】
0004840380.tif 000002
【図２】
0004840380.tif 000003
【図３】
0004840380.tif 000004
【図４】
0004840380.tif 000005
【図５】
0004840380.tif 000006
【図６】
0004840380.tif 000007
【図７】
0004840380.tif 000008
【図８】
0004840380.tif 000009
【図９】
0004840380.tif 000010
【図１０】
0004840380.tif 000011
【図１１】
0004840380.tif 000012
【図１２】
0004840380.tif 000013
【図１３】
0004840380.tif 000014
【図１４】
0004840380.tif 000015
【図１５】
0004840380.tif 000016
【図１６】
0004840380.tif 000017